(57)【要約】【課題】通水パイプ等に設けられる弁において、新しい弁への交換が容易に行え、且つその交換にあたって、通水パイプを切断する必要がないようにする。【解決手段】弁本体２の左右両側における流体入口６および流体出口７の両側に継手３を合体させて弁を構成し、継手３の本体３ａの端部に設けたフランジ１４に互いに対向するボルト穴１６ａを形成し、これらボルト穴１６ａに長ボルト２８およびナット２９を取り付けて弁本体２両側に前記継手３を固定する。【選択図】　　　図２
2004116556.tif 000002
【特許請求の範囲】
【請求項１】
左右いずれか一側が流体入口となされ、他側が流体出口となされた弁本体と、弁本体の流体入口および流体出口に取り付けられる２つの継手とを有する弁であって、両継手の弁本体側端部にフランジがそれぞれ設けられ、両フランジの互いに対応する複数箇所にボルト穴がそれぞれ設けられ、両フランジの互いに対応するボルト穴に長ボルトが渡し通され、長ボルトの端部にナットが嵌められることにより、弁本体の左右両側に継手がそれぞれ着脱自在に合体されている、弁。
【請求項２】
弁本体の流体入口周縁および流体出口周縁にボス状部が設けられ、左右の継手の弁本体側端部における開口縁に前記ボス状部が嵌め入れられる段部が設けられ、該段部外側または前記ボス状部外側にはガスケット装着用溝が設けられている、請求項１記載の弁。
【請求項３】
両継手のフランジが側面から見て四角形となされ、ボルト穴がフランジの四隅に設けられている、請求項１または請求項２記載の弁。
【請求項４】
両継手がメカニカル式のものである請求項１〜請求項３のうちのいずれか一項記載の弁。
【請求項５】
弁本体が流体仕切用弁体を有する請求項１〜請求項４のうちのいずれか一項記載の弁。
【発明の詳細な説明】
【０００１】
【発明が属する技術分野】
本発明は、例えば水道水や工業用水等の各種流体を制御する弁に関する。
【０００２】
【従来の技術】
従来、例えば水道水を供給するための塩化ビニル製パイプの途中に設けられる弁としては、下記のものが知られている。
【０００３】
すなわち、図６に示すように、弁５１はフランジ式管継手を有するものであって、弁５１両側の流体入口５２および流体出口５３にフランジ５４が一体に設けられていた。
【０００４】
そして、弁５１に通水パイプ５５の端部を接続する場合、該通水パイプ５５の端部を筒状継手５６に挿入し、該筒状継手の弁５１側端部に設けられたフランジ５７と弁５１のフランジ５４とをガスケット等を介して当接させ、ボルトおよびナット（図示略）等で両フランジ５４・５７同士を連結していた。
【０００５】
また近年、図７に示すように、弁本体６２の左右両側に、継手６３を一体に設けた弁６１が知られている。
【０００６】
そして、弁６１の左右両側に通水パイプ６４を接続する場合、弁６１両側の継手６３に通水パイプ６４を直接挿入するようにしていた。
【０００７】
【発明が解決しようとする課題】
前述した従来の弁のうち、前者では、弁５１両側におけるフランジ５４・５７同士の連結を解除すれば、左右の通水パイプ５５から弁５１を取り外して、該弁５１を新しい弁と交換することができるものの、この際、先ず弁５１をその両側の通水パイプ５５から取り外すために、両側のフランジ５４・５７同士を連結しているすべてのボルト・ナットを取り外さなければならず、また左右の通水パイプ５５間に新しい弁を取り付ける場合には、前記フランジ５４・５７同士を再び連結するために、必要なすべてのボルト・ナットを再び両フランジ５４・５７に取り付けなければならないことから、弁５１の交換作業に手間と時間がかかるという問題があった。
【０００８】
一方、前述した後者の弁６１の場合、該弁６１の左右両側に一体に設けた継手６３を介して通水パイプ６４を弁６１に容易に接続することができるものの、弁６１を新しい弁と交換する場合には、図８に示すように、通水パイプ６４の端部寄り部分を切断しなければならず、また端部が切断された通水パイプ６４はその全長が所要の長さよりも短くなることから、新しい弁と接続するために、通水パイプ６４も新しい所定長のものと交換することを余儀なくされるという不都合があった。
【０００９】
本発明の目的は、新しい弁への交換が容易に行え、且つその交換にあたって、通水パイプを切断する必要もない弁を提供することにある。
【００１０】
【課題を解決するための手段】
請求項１記載の弁は、左右いずれか一側が流体入口となされ、他側が流体出口となされた弁本体と、弁本体の流体入口および流体出口に取り付けられる２つの継手とを有する弁であって、両継手の弁本体側端部にフランジがそれぞれ設けられ、両フランジの互いに対応する複数箇所にボルト穴がそれぞれ設けられ、両フランジの互いに対応するボルト穴に長ボルトが渡し通され、長ボルトの端部にナットが嵌められることにより、弁本体の左右両側に継手がそれぞれ着脱自在に合体されているものである。
【００１１】
請求項２記載の弁は、前記請求項１記載の弁について、その弁本体の流体入口周縁および流体出口周縁にボス状部が設けられ、左右の継手の弁本体側端部における開口縁に前記ボス状部が嵌め入れられる段部が設けられ、該段部外側または前記ボス状部外側にはガスケット装着用溝が設けられていることを技術的特徴とするものである。
【００１２】
前述した弁における両継手のフランジの形状としては、側面から見て、円形、三角形、四角形、五角形等、種々の形状が挙げられるが、例えばフランジを四角形として、その四隅にボルト穴を設け、該ボルト穴にボルト・ナットを取り付ければ、弁本体の両側に継手を簡単且つ安定的に合体させることができる。
【００１３】
前記継手としては、ねじ込み式、溶接式、ろう接式、接着または融着式等、種々のもの（フランジ式を除く）が挙げられるが、パイプの取り付け作業の容易性並びに止水性および配管曲がり時の追従性等を考慮すれば、メカニカル式のものが好適である。
【００１４】
なお、メカニカル式継手は、食い込み式とパッキン式のいずれであっても良い。
【００１５】
本発明に係る弁は、その弁本体の左右に流体入口と流体出口を備え、左右のパイプが互いに直線的に接続されるものであるが、具体的には仕切弁の他、玉形弁、バタフライ弁、逆止め弁、ボール弁、調節弁、減圧弁、安全弁およびコック等が挙げられる。
【００１６】
また、前記本発明に係る弁は、塩化ビニル製パイプ等の合成樹脂製パイプの他、鋳鉄製パイプや鋼管等、種々のパイプ類に取り付け得る。
【００１７】
【発明の実施の形態】
次に、本発明を水道水の流れ制御を行う仕切弁に適用した場合の実施形態について図面を参照しつつ説明する。
【００１８】
図１に示すように、本実施形態の弁１は、左側下部が流体入口６となされ、右側下部が流体出口７となされた弁本体２と、一端が弁本体２の流体入口６または流体出口７と連通し、他端が塩化ビニル製パイプ１２・１３の端部に接続される２つのメカニカル式継手３とを有する両受け形の仕切弁である。
【００１９】
具体的には、図２〜図５に示すように、弁本体２はその内部に弁棒４と該弁棒４の下部に昇降自在に取り付けられた弁体５を備えており、弁本体２の下部両側における流体入口６周縁および流体出口７周縁にボス状部８が設けられ、該ボス状部８の外側にはガスケット装着用凹溝１１が形成されている。
【００２０】
継手３は、継手本体３ａと、押輪３ｂと、ガスケット３ｃとで構成されている。継手本体３ａの両端には、側面からみて四角形のフランジ１４・１５が設けられ、それらの各四隅にボルト穴１６ａ・１６ｂが形成されている。フランジ１４の幅はフランジ１５よりも広くなされて、後述する弁本体２両側への継手本体３ａの取り付けにあたり、フランジ１５が邪魔にならないようになされている。
【００２１】
そして、左右の継手本体３ａにおける弁本体２側の両フランジ１４の互いに対応する両ボルト穴１６ａには長ボルト２８が渡し通され、これら各長ボルト２８の軸先端にナット２９が嵌められ、これら長ボルト２８とナット２９とによって、弁本体２の両側に継手本体３ａが合体されている。
【００２２】
継手本体３ａの弁本体２側端部のフランジ１４における開口縁には前記ボス状部８が嵌め入れられる段部９が設けられている。また、継手本体３ａにおけるパイプ側フランジ１５の内面にはガスケット収容部１７が形成され、該収容部１７内にガスケット３ｃが嵌め込まれている。
【００２３】
ガスケット３ｃの外周は弁本体２側に向かって外径が徐々に小さくなる略テーパー状となされ、前記ガスケット収容部１７もこれに対応する形状となされている。
【００２４】
本実施形態では、前述した通り、ガスケット装着用凹溝１１を弁本体２のボス部８外側に設けたが、継手本体３ａの段部９外側に設けても良い。
【００２５】
なお、図中１０は、継手本体３ａ内周に形成されたパイプ止め部を示す。
【００２６】
図４に示すように、押輪３ｂは中央にパイプ挿入部２３を有し、パイプ挿入側端部にはフランジ１８が形成されている。該フランジ１８は上下縁および左右縁に凹弧部２１を有する形状となされ、四隅には前記継手本体３ａのフランジ１５におけるボルト穴１６ｂと対向するボルト穴２２が形成されている。
【００２７】
そして、継手本体３ａのフランジ１５のボルト穴１６ｂと押輪３ｂのフランジ１８におけるボルト穴２２にＴ頭ボルト２４を渡し通して該ボルト２４の軸部にナット２５を嵌めることにより、継手本体３ａと押輪３ｂとが連結されると共に、これら継手本体３ａと押輪３ｂ間にガスケット３ｃが挟み止められるようになされている。
【００２８】
この場合、押輪３ｂの弁本体２側端部がガスケット３ｃのパイプ挿入側端部を押圧すると共に前記ガスケット３ｃの内周面がパイプ１２・１３外周面に圧接する。
【００２９】
次に、本実施形態の弁１をパイプ１２・１３間に取り付ける要領について説明すると、先ず左右の継手３内にパイプ１２・１３を挿入し、継手本体３ａのフランジ１５のボルト穴１６ｂと押輪３ｂのボルト穴２２におけるボルト穴２２にＴ頭ボルト２４を渡し通して該ボルト２４の軸部にナット２５を嵌めることにより、継手本体３ａと押輪３ｂとを連結すると共に、これら継手本体３ａと押輪３ｂ間にガスケット３ｃを挟み止める。
【００３０】
次に、弁本体２両側の流体入口６周縁および流体出口７周縁のボス状部８を継手本体３ａ内周の段部９に嵌め入れ、左右の継手本体３ａにおける弁本体２側の両フランジ１４の互いに対応する両ボルト穴１６ａに長ボルト２８を渡し通した後、これら各長ボルト２８の軸先端部にナット２９を嵌めて、弁本体２の両側に継手本体３ａを合体させることにより、最終的に弁１がパイプ１２・１３間に取り付けられる。
【００３１】
一方、前記取り付けた弁１を交換する場合には、図２に示すように、弁本体２と継手本体３ａとを合体させている合計４本の長ボルト２８および合計４個のナット２９のうち、上側２本の長ボルト２８および２個のナット２９だけを取り外すと共に、下側２本の長ボルト２８に嵌められたナット２９をゆるめて、両側の継手本体３ａを互いに左右方向に離すだけで、これら継手３間から弁本体２を上方へ引き出すことができる。そして、次に新しい弁本体２を両側の継手本体３ａ間に嵌め入れ、前記と同様の要領で弁本体２と両継手３とを合体させることにより、弁本体２の交換を行う。
【００３２】
従って、両側の継手３は、新しいものと交換する必要がなく、また該継手３とパイプ１２・１３との接続を解除した後、再びこれらを接続するといった作業は全く不要である。
【００３３】
【発明の効果】
請求項１記載の本発明は、左右いずれか一側が流体入口となされ、他側が流体出口となされた弁本体と、弁本体の流体入口および流体出口に取り付けられる２つの継手とを有する弁であって、両継手の弁本体側端部にフランジがそれぞれ設けられ、両フランジの互いに対応する複数箇所にボルト穴がそれぞれ設けられ、両フランジの互いに対応するボルト穴に長ボルトが通され、長ボルトの端部にナットが嵌められることにより、弁本体の左右両側に継手がそれぞれ着脱自在に取り付けられている構造であるため、当該弁を配管の所定箇所に設けるにあたって、弁の一部を構成する継手にパイプ端部を直接挿入してパイプを取り付けることができるため、配管への弁の取り付け作業が簡単に行え、また弁を交換する場合も、従来のフランジ式管継手のように、左右のフランジ同士を連結するボルト・ナットをすべて取り外した後、これらを再び取り付けるといった面倒な作業は不要であって、弁とその両側の継手とを合体している長ボルトおよびナットの取り外しと取り付けだけを行えば済むため、弁の交換作業時間が大幅に短縮され得る。
【００３４】
また更に、前記本発明の弁によれば、弁本体とその両側の継手とを分離して弁本体だけを交換し、両継手はそのまま使用することができ、しかも両継手に接続されたパイプも切断する必要がないため、従来に比べて弁交換に要する時間およびコストを大幅に削減することが可能となる。
【００３５】
請求項２記載の本発明は、前記請求項１記載の弁について、その弁本体の流体入口周縁および流体出口周縁にボス状部が設けられ、左右の継手の弁本体側端部における開口縁に前記ボス状部が嵌め入れられる段部が設けられ、該段部外側または前記ボス状部外側にはガスケット装着用溝が設けられているため、弁本体両側への継手の合体がより簡単に行え、また水密性も十分に確保され得る。
【００３６】
請求項３記載の本発明は、両継手のフランジが側面から見て四角形となされ、ボルト穴がフランジの四隅に設けられた構造であるため、前記弁本体の交換にあたって、上側２本の長ボルトだけを取り外し、下側２本の長ボルトに嵌められたナットを緩めるだけで済むという利点がある。
【００３７】
この他、継手としてメカニカル式継手を用いた本発明の弁によれば、弁両側へのパイプの取り付けが簡単且つ強固に行えるという利点がある。
【図面の簡単な説明】
【図１】実施形態における弁の概略を示す正面図
【図２】実施形態に係る弁の分離状態を示す正面図
【図３】実施形態に係る弁の合体状態を示す正面図
【図４】同じく弁の合体状態における側面図
【図５】同じく弁の合体状態における平面図
【図６】従来例に係る弁の概略を示す正面図
【図７】他の従来例に係る弁の概略を示す正面図
【図８】同従来例の弁に接続されたパイプの切断状態を示す正面図
【符号の説明】
１：　弁
２：　弁本体
３：　メカニカル式継手
６：　流体入口
７：　流体出口
８：　ボス状部
９：　段部
１１：　ガスケット装着用凹溝
１２・１３：　パイプ
１４・１５：　フランジ
１６ａ・１６ｂ：　ボルト穴
２８：　長ボルト
２９：　ナット
【図１】
2004116556.tif 000003
【図２】
2004116556.tif 000004
【図３】
2004116556.tif 000005
【図４】
2004116556.tif 000006
【図５】
2004116556.tif 000007
【図６】
2004116556.tif 000008
【図７】
2004116556.tif 000009
【図８】
2004116556.tif 000010